(57)【要約】【課題】排気中のＮＯｘを吸蔵、還元するＮＯｘ触媒を有する内燃機関の排気浄化システムにおいて、ＳＯｘ被毒回復制御によってＮＯｘ触媒に吸蔵されているＳＯｘを離脱させるとき、多量のＨＣが大気中に放出されるのを防止する。【解決手段】排気中のＮＯｘを吸蔵、還元するＮＯｘ触媒を備える内燃機関の排気浄化システムにおいて、前記ＮＯｘ触媒に吸蔵されているＳＯｘの離脱を行うときに、前記ＮＯｘ触媒に吸蔵されているＳＯｘ量を推定するとともに、前記ＮＯｘ触媒に流入する排気の空燃比を、推定される前記ＳＯｘ吸蔵量の減少に従ってよりリッチ側の空燃比とすることで、ＮＯｘ触媒から流出する排気のＨＣ濃度を所定のＨＣ濃度以下とする。【選択図】図２
2004324566.tif 000002
【特許請求の範囲】
【請求項１】
排気通路に設けられ、排気中のＮＯｘを吸蔵、還元するＮＯｘ触媒と、
前記ＮＯｘ触媒に吸蔵されているＳＯｘ吸蔵量を推定するＳＯｘ吸蔵量推定手段と、
前記ＮＯｘ触媒に流入する排気の空燃比を制御する排気空燃比制御手段と、
前記ＳＯｘ吸蔵量推定手段によって推定されたＳＯｘ吸蔵量が所定のＳＯｘ吸蔵量を越えたときに、前記排気空燃比制御手段によって前記ＮＯｘ触媒に流入する排気の空燃比を所定の空燃比とすることで前記ＮＯｘ触媒に吸蔵されたＳＯｘを離脱させるＳＯｘ被毒回復手段と、
前記ＮＯｘ触媒の下流側の排気通路に設けられ、排気中のＨＣ濃度を検出するＨＣ濃度検出手段と、を備える内燃機関の排気浄化システムにおいて、
前記ＳＯｘ被毒回復手段によって前記ＮＯｘ触媒に吸蔵されているＳＯｘの離脱が行われるときに、前記排気空燃比制御手段によって、前記ＮＯｘ触媒に流入する排気の空燃比を、推定される前記ＳＯｘ吸蔵量の減少に従ってよりリッチ側の空燃比とすることで、検出される前記ＨＣ濃度を所定のＨＣ濃度以下とすることを特徴とする内燃機関の排気浄化システム。
【請求項２】
前記ＳＯｘ被毒回復手段によって前記ＮＯｘ触媒に吸蔵されているＳＯｘの離脱が行われるときに、前記ＨＣ濃度検出手段によって検出されるＨＣ濃度が白煙防止ＨＣ濃度を越える場合には、前記排気空燃比制御手段によって前記ＮＯｘ触媒に流入する排気の空燃比をよりリーン側の空燃比とする補正を行うことを特徴とする請求項１に記載の内燃機関の排気浄化システム。
【請求項３】
排気通路に設けられ、排気中のＮＯｘを吸蔵、還元するＮＯｘ触媒と、
前記ＮＯｘ触媒に吸蔵されているＳＯｘ吸蔵量を推定するＳＯｘ吸蔵量推定手段と、
前記ＮＯｘ触媒に流入する排気の空燃比を制御する排気空燃比制御手段と、
前記ＳＯｘ吸蔵量推定手段によって推定されたＳＯｘ吸蔵量が所定のＳＯｘ吸蔵量を越えたときに、前記排気空燃比制御手段によって前記ＮＯｘ触媒に流入する排気の空燃比を所定の空燃比とすることで前記ＮＯｘ触媒に吸蔵されたＳＯｘを離脱させるＳＯｘ被毒回復手段と、
前記ＮＯｘ触媒の下流側の排気通路に設けられ、排気中のＨＣ濃度を検出するＨＣ濃度検出手段と、を備える内燃機関の排気浄化システムにおいて、
前記ＳＯｘ被毒回復手段によって前記ＮＯｘ触媒に吸蔵されているＳＯｘの離脱が行われるときに、前記排気空燃比制御手段によって、前記ＮＯｘ触媒に流入する排気の空燃比を、推定される前記ＳＯｘ吸蔵量の減少に従ってよりリッチ側の空燃比とする制御を行い、該制御時において前記ＨＣ濃度検出手段によって検出されるＨＣ濃度が白煙限界ＨＣ濃度を越える場合には、前記排気空燃比制御手段によって前記ＮＯｘ触媒に流入する排気の空燃比をよりリーン側の空燃比とする補正を行うことを特徴とする内燃機関の排気浄化システム。
【請求項４】
前記排気空燃比制御手段による排気の空燃比のよりリーン側の空燃比への前記補正が所定の頻度以上で行われた場合、もしくは該補正における排気の空燃比の補正量が所定の補正量を越えた場合には、前記ＳＯｘ吸蔵量推定手段によって推定されるＳＯｘ吸蔵量を増量する補正を行うことを特徴とする請求項２又は請求項３に記載の内燃機関の排気浄化システム。
【発明の詳細な説明】
【０００１】
【発明の属する技術分野】
本発明は、内燃機関の排気浄化システムに関する。
【０００２】
【従来の技術】
内燃機関、特に希薄燃焼を行う内燃機関から排出される排気中の窒素酸化物（ＮＯｘ）を浄化すべく吸蔵、還元型ＮＯｘ触媒（以下、単に「ＮＯｘ触媒」という）が開発されている。このＮＯｘ触媒は、触媒周囲の雰囲気が高酸素濃度状態である場合は排気中のＮＯｘを触媒内へと吸蔵し、触媒周囲の雰囲気が低酸素濃度状態で且つ還元成分である燃料の未燃成分（以下、「ＨＣ」という。）が存在している場合等は、触媒内に吸蔵されているＮＯｘを還元することで、排気の浄化を行う触媒である。吸蔵、還元型のＮＯｘ触媒においては、ＮＯｘと同様に排気中の硫黄酸化物（ＳＯｘ）も吸蔵されるが、ＮＯｘ触媒におけるＳＯｘ吸蔵量が増加するに従い、ＮＯｘ触媒の排気浄化機能が低減するため十分なＮＯｘの浄化が行われない問題や、更に、ＮＯｘ触媒による酸化機能が低下する問題が発生する。
【０００３】
そこで、ＳＯｘの吸蔵量が増大したＮＯｘ触媒の温度を上昇させるとともに、ＮＯｘ触媒をＨＣが存在している一定の空燃比の雰囲気に曝すことによって、ＮＯｘ触媒に吸蔵されていたＳＯｘを該触媒から離脱させ、以てＮＯｘ触媒のＮＯｘ排気浄化機能を回復させる制御（以下、「ＳＯｘ被毒回復制御」という）が行われる（例えば、特許文献１を参照。）。
【０００４】
しかし、ＮＯｘ触媒に吸蔵されたＳＯｘを離脱させるに伴い硫化水素が発生するため、大気中に放出された排気が異臭を放つ問題が発生する。そこで、ＮＯｘ触媒からのＳＯｘの離脱の過程において、大量のＳＯｘが短時間で発生しないように、ＮＯｘ触媒に吸蔵されたＳＯｘ吸蔵量に基づいてＳＯｘの放出度合を抑制するように内燃機関の運転を制御する技術が公開されている（例えば、特許文献２を参照。）。
【０００５】
【特許文献１】
特開平０７−２１７４７４号公報
【特許文献２】
特開２０００−１６１１０７号公報
【特許文献３】
特開２００１−３０４０２０号公報
【０００６】
【発明が解決しようとする課題】
ＮＯｘ触媒にＳＯｘが吸蔵されることでＮＯｘ触媒の有する排気浄化機能や酸化機能が低下する。そこで、ＳＯｘ被毒回復制御によって吸蔵されているＳＯｘをＮＯｘ触媒から離脱させる必要がある。しかし、ＮＯｘ触媒の酸化機能は該ＮＯｘ触媒に吸蔵されているＳＯｘ量に応じて変動するものであるから、ＳＯｘ被毒回復被毒制御においてＮＯｘ触媒に流入する排気の空燃比を一定の空燃比とすると、排気中のＨＣがＮＯｘ触媒において酸化されないために、多量のＨＣが未浄化のまま大気中へ放出され、白煙が発生することになる。
【０００７】
本発明は上記状況に鑑みてなされたもので、排気中のＮＯｘを吸蔵、還元するＮＯｘ触媒を有する内燃機関の排気浄化システムにおいて、ＳＯｘ被毒回復制御によってＮＯｘ触媒に吸蔵されているＳＯｘを離脱させるとき、多量のＨＣが大気中に放出されるのを抑制し、白煙が発生するのを防止する内燃機関の排気浄化システムの提供を目的とする。
【０００８】
【課題を解決するための手段】
本発明は、上記した課題を解決するために、ＮＯｘ触媒におけるＳＯｘ吸蔵量に着目した。これは、ＮＯｘ触媒におけるＳＯｘ吸蔵量が多くなるに従い、ＮＯｘ触媒の酸化機能が低下していくことによる。
【０００９】
そこで、排気通路に設けられ、排気中のＮＯｘを吸蔵、還元するＮＯｘ触媒と、前記ＮＯｘ触媒に吸蔵されているＳＯｘ吸蔵量を推定するＳＯｘ吸蔵量推定手段と、前記ＮＯｘ触媒に流入する排気の空燃比を制御する排気空燃比制御手段と、前記ＳＯｘ吸蔵量推定手段によって推定されたＳＯｘ吸蔵量が所定のＳＯｘ吸蔵量を越えたときに、前記排気空燃比制御手段によって前記ＮＯｘ触媒に流入する排気の空燃比を所定の空燃比とすることで前記ＮＯｘ触媒に吸蔵されたＳＯｘを離脱させるＳＯｘ被毒回復手段と、前記ＮＯｘ触媒の下流側の排気通路に設けられ、排気中のＨＣ濃度を検出するＨＣ濃度検出手段と、を備える内燃機関の排気浄化システムにおいて、前記ＳＯｘ被毒回復手段によって前記ＮＯｘ触媒に吸蔵されているＳＯｘの離脱が行われるときに、前記排気空燃比制御手段によって、前記ＮＯｘ触媒に流入する排気の空燃比を、推定される前記ＳＯｘ吸蔵量の減少に従ってよりリッチ側の空燃比とすることで、検出される前記ＨＣ濃度を所定のＨＣ濃度以下とする。
【００１０】
前記ＮＯｘ触媒は、先述の通り、触媒周囲の雰囲気が高酸素濃度状態である場合は排気中のＮＯｘを触媒内へと吸蔵し、触媒周囲の雰囲気が低酸素濃度状態で且つ還元成分である燃料の未燃成分が存在している場合等は、触媒内に吸蔵されているＮＯｘを還元することで、排気の浄化を行う触媒である。更に、ＮＯｘ触媒には、排気中のＳＯｘも吸蔵され、そのＳＯｘ吸蔵量が多くなるに従い、ＮＯｘ触媒の排気浄化機能および酸化機能が低下する。
【００１１】
そこで、前記ＮＯｘ触媒に吸蔵されたＳＯｘの離脱を行うべく、前記ＳＯｘ被毒回復手段によって、ＳＯｘ被毒回復制御が行われる。ＳＯｘ被毒回復制御は、前記ＳＯｘ吸蔵量推定手段によって推定される前記ＮＯｘ触媒におけるＳＯｘ吸蔵量が、前記所定のＳＯｘ吸蔵量を越えたときに行われる。従って、前記所定のＳＯｘ吸蔵量とは、前記ＮＯｘ触媒でＳＯｘ被毒回復制御を行うべきと判断するための閾値であって、ＮＯｘ触媒の容量等から決定される。
【００１２】
ここで、前記ＳＯｘ吸蔵量推定手段は、内燃機関の稼動時間や燃料の硫黄濃度等に基づいて前記ＮＯｘ触媒に吸蔵されているＳＯｘ量を推定するものであり、更に、内燃機関が稼動することによって前記ＮＯｘ触媒に吸蔵されていくＳＯｘ量を推定するだけではなく、ＳＯｘ被毒回復制御によって前記ＮＯｘ触媒からＳＯｘが離脱することで前記ＮＯｘ触媒におけるＳＯｘ吸蔵量の減少も推定するものである。これは、ＳＯｘ被毒回復制御において前記ＮＯｘ触媒に流入する排気の空燃比や、ＳＯｘ被毒回復制御が行われている時間等から推定する。
【００１３】
ＳＯｘ被毒回復制御が行われるとき、前記排気空燃比制御手段によって、前記ＮＯｘ触媒に流入する排気の空燃比を所定の空燃比とすることで、前記ＮＯｘ触媒に還元剤としてのＨＣを供給する。その結果、前記ＮＯｘ触媒において吸蔵されているＳＯｘが離脱される。従って、前記所定の空燃比とは、前記ＮＯｘ触媒において吸蔵されているＳＯｘを離脱させるために必要なＨＣが前記ＮＯｘ触媒に供給されるための、排気の空燃比である。ここで、前記排気空燃比制御手段による排気の空燃比の制御は、排気中への燃料の添加や、燃焼室における燃料の噴射量や噴射時期の調整等によって行われる。しかし、ＮＯｘ触媒の酸化機能はＳＯｘ吸蔵量に応じて変動する。従って、ＮＯｘ触媒に流入する排気の空燃比が一定の空燃比であれば、ＮＯｘ触媒のＳＯｘ吸蔵量が多いときはＮＯｘ触媒の酸化機能が低下するため、排気中のＨＣがＮＯｘ触媒において酸化されずに、大気へ放出される虞がある。
【００１４】
そこで、ＳＯｘ被毒回復制御時において前記ＮＯｘ触媒に流入する排気の空燃比を制御する際に、前記ＮＯｘ触媒から流出する排気中に多量のＨＣが含まれないようにすべく、前記排気空燃比制御手段によって、前記ＮＯｘ触媒に流入する排気の空燃比を、推定される前記ＳＯｘ吸蔵量の減少に従ってよりリッチ側の空燃比とすることで、検出される前記ＨＣ濃度を所定のＨＣ濃度以下とする。ここで、所定のＨＣ濃度とは、前記ＮＯｘ触媒から流出する排気中の許容ＨＣ濃度であり、排気中のＨＣ濃度が高くなり、多量のＨＣによって白煙が発生する条件等によって決定される。
【００１５】
ＳＯｘ被毒回復制御が実行されることによって、前記ＮＯｘ触媒に吸蔵されているＳＯｘ量は次第に減少し、前記ＮＯｘ触媒の酸化機能も次第に回復していく。従って、前記ＮＯｘ触媒の酸化機能がまだ低い場合、即ちＳＯｘ被毒回復制御が開始されたときにおいては、前記ＮＯｘ触媒に流入する排気の空燃比をリーン側の空燃比としておき、前記ＮＯｘ触媒の酸化機能が次第に回復するに従い、即ち前記ＮＯｘ触媒におけるＳＯｘ吸蔵量が減少するに従い、前記ＮＯｘ触媒に流入する排気の空燃比をよりリッチ側の空燃比とすることで、ＮＯｘ触媒の酸化機能に応じたＨＣをＮＯｘ触媒に供給することが可能となる。その結果、ＮＯｘ触媒から流出する排気中のＨＣの濃度を、前記所定のＨＣ濃度以下に抑制することが可能となり、多量のＨＣが大気中に放出されるのが防止される。
【００１６】
更に、上述したＳＯｘ被毒回復制御が行われ、前記ＮＯｘ触媒に吸蔵されているＳＯｘの離脱が行われるときに、前記ＨＣ濃度検出手段によって検出されるＨＣ濃度が白煙防止ＨＣ濃度を越える場合には、前記排気空燃比制御手段によって前記ＮＯｘ触媒に流入する排気の空燃比をよりリーン側の空燃比とする補正を行う。
【００１７】
即ち、先述した内燃機関の排気浄化システムにおいては、前記ＨＣ濃度検出手段によって検出される排気のＨＣ濃度は、前記所定のＨＣ濃度以下とされることで、大気中への多量のＨＣの放出を抑制している。そのような状態において、前記ＨＣ濃度検出手段によって検出されるＨＣ濃度が、前記所定のＨＣ濃度より低い値ではあるが、該所定のＨＣ濃度に近いため、内燃機関の運転状態の急な変動等によって内燃機関から排出されるＨＣ量が急に増加することで、白煙の発生につながる。そこで、前記ＨＣ濃度検出手段によって検出される排気のＨＣ濃度が、前記所定のＨＣ濃度より低い場合であっても白煙の発生につながる虞が高いＨＣ濃度である前記白煙防止ＨＣ濃度を越えると、先述した排気の空燃比を前記ＳＯｘ吸蔵量の減少に伴ってリッチ側の空燃比とする制御において該排気の空燃比を過度にリッチ側に制御していると判断し、該排気の空燃比をより適正な空燃比とすべくよりリーン側の空燃比へ補正する。
【００１８】
これによって、排気のＨＣ濃度が前記所定のＨＣ濃度以下の場合であっても、内燃機関の運転状態等によっては白煙が発生する虞があるときは、前記排気空燃比制御手段における排気の空燃比の制御において排気の空燃比をよりリーン側に補正することで、多量のＨＣの大気への放出を抑制し、以て白煙の発生をより確実に予防することが可能となる。
【００１９】
更に、本発明では、上記した課題を解決するために、排気通路に設けられ、排気中のＮＯｘを吸蔵、還元するＮＯｘ触媒と、前記ＮＯｘ触媒に吸蔵されているＳＯｘ吸蔵量を推定するＳＯｘ吸蔵量推定手段と、前記ＮＯｘ触媒に流入する排気の空燃比を制御する排気空燃比制御手段と、前記ＳＯｘ吸蔵量推定手段によって推定されたＳＯｘ吸蔵量が所定のＳＯｘ吸蔵量を越えたときに、前記排気空燃比制御手段によって前記ＮＯｘ触媒に流入する排気の空燃比を所定の空燃比とすることで前記ＮＯｘ触媒に吸蔵されたＳＯｘを離脱させるＳＯｘ被毒回復手段と、前記ＮＯｘ触媒の下流側の排気通路に設けられ、排気中のＨＣ濃度を検出するＨＣ濃度検出手段と、を備える内燃機関の排気浄化システムにおいて、前記ＳＯｘ被毒回復手段によって前記ＮＯｘ触媒に吸蔵されているＳＯｘの離脱が行われるときに、前記排気空燃比制御手段によって、前記ＮＯｘ触媒に流入する排気の空燃比を、推定される前記ＳＯｘ吸蔵量の減少に従ってよりリッチ側の空燃比とする制御を行い、該制御時において前記ＨＣ濃度検出手段によって検出されるＨＣ濃度が白煙限界ＨＣ濃度を越える場合には、前記排気空燃比制御手段によって前記ＮＯｘ触媒に流入する排気の空燃比をよりリーン側の空燃比とする補正を行う。
【００２０】
前記ＳＯｘ被毒回復手段によって前記内燃機関の排気浄化システムにおいて行われるＮＯｘ触媒での吸蔵ＳＯｘの離脱は、先述したとおりである。そこで、前記ＳＯｘ被毒回復手段によって前記ＮＯｘ触媒に流入する排気の空燃比を前記ＮＯｘ触媒に吸蔵されているＳＯｘの吸蔵量の減少に従って、次第にリッチ側の空燃比とすることで吸蔵ＳＯｘの離脱を行うに際して、前記ＨＣ濃度検出手段によって検出されるＨＣ濃度が前記白煙限界ＨＣ濃度を越える場合は、前記排気空燃比検出手段による排気の空燃比をよりリッチ側の空燃比とする制御において、排気の空燃比をよりリーン側の空燃比に戻す補正を行うことで、過度にリッチ側の空燃比となっている排気の空燃比を、多量のＨＣが大気へ放出されて白煙が発生する虞の低い空燃比とする。従って、前記白煙限界ＨＣ濃度とは、排気中のＨＣ濃度が高くなることによる白煙の発生条件によって決定されるＨＣ濃度の閾値である。
【００２１】
これにより、ＮＯｘ触媒の酸化機能に応じた量のＨＣをＮＯｘ触媒に供給するとともに、排気中のＨＣ濃度が前記白煙限界ＨＣ濃度を越えるときは、ＮＯｘ触媒に流入する排気の空燃比をよりリーン側の空燃比に戻す補正が行われることで、ＮＯｘ触媒から流出する排気中のＨＣの濃度を、白煙の発生する白煙限界ＨＣ濃度以下に抑制することが可能となり、多量のＨＣが大気中に放出されるのが抑制され、以て白煙の発生が防止される。
【００２２】
ここで、前記ＨＣ濃度検出手段によって検出された排気の空燃比が前記白煙防止ＨＣ濃度または前記ＨＣ白煙限界濃度を越えるときに、排気の空燃比をよりリーン側の空燃比とする補正が、所定の頻度以上で行われた場合、もしくは該補正における排気の空燃比の補正量が所定の補正量を越えた場合には、前記ＳＯｘ吸蔵量推定手段によって推定されるＳＯｘ吸蔵量を増量する補正を行う。
【００２３】
先述した排気の空燃比をよりリーン側の空燃比とする補正は、前記ＮＯｘ触媒に吸蔵されているＳＯｘを離脱させるために、前記ＮＯｘ触媒におけるＳＯｘ吸蔵量の減少に従って前記ＮＯｘ触媒に流入する排気の空燃比を次第にリッチ側の空燃比とする制御において行われる。しかし、該補正は、前記排気空燃比制御手段による排気の空燃比の制御が過度にリッチ側となっていると判断された場合に行われる補正である。従って、該補正が行われることは、前記ＮＯｘ触媒に流入する排気の空燃比が適正な空燃比の範囲から外れる虞がある、もしくは適正な空燃比の範囲から外れていることを意味する。
【００２４】
このような状態が生じる理由として、前記排気空燃比制御手段による排気の空燃比の制御は、前記ＳＯｘ吸蔵量推定手段によるＳＯｘの吸蔵量の推定において、推定ＳＯｘ吸蔵量が実際に前記ＮＯｘ触媒に吸蔵されているＳＯｘ吸蔵量より少ないことが考えられる。即ち、前記ＳＯｘ吸蔵量推定手段による推定ＳＯｘ吸蔵量が実際の吸蔵量より少ないために、前記ＮＯｘ触媒の酸化機能が過大に残存していると判断され、結果として前記排気空燃比制御手段によって前記ＮＯｘ触媒に流入する排気の空燃比が過度にリッチ側の空燃比に制御されているために、前記補正が行われると考えられる。
【００２５】
そこで、前記補正が所定の頻度以上で行われる場合、即ち排気の空燃比をよりリーン側の空燃比とする補正が所定の頻度以上行われるときは、前記ＳＯｘ吸蔵量推定手段によるＳＯｘ吸蔵量の推定が実際の吸蔵量より少ない蓋然性が高いと考えられるため、前記ＳＯｘ吸蔵量推定手段によって推定されるＳＯｘ吸蔵量を増量する補正を行うことで、推定ＳＯｘ吸蔵量と実際の吸蔵量との差を解消させ、前記ＮＯｘ触媒に流入する排気の空燃比をより正確に行うことが可能となる。従って、前記所定の頻度とは、前記補正が前記ＳＯｘ吸蔵量推定手段による推定ＳＯｘ吸蔵量が実際の吸蔵量より少ないことに起因して行われている蓋然性が高いと判断するための閾値である。
【００２６】
更に、前記補正が前記ＳＯｘ吸蔵量推定手段による推定ＳＯｘ吸蔵量が実際の吸蔵量より少ないことに起因して行われている蓋然性が高いと判断するためのパラメータとして、該補正における補正量、即ち排気の空燃比をよりリーン側の空燃比に戻すときのその空燃比の変動量が考えられる。前記ＳＯｘ吸蔵量推定手段による推定ＳＯｘ吸蔵量が過度に少ないと、結果として前記ＮＯｘ触媒に流入する排気の空燃比が過度にリッチ側の空燃比となるため、排気中のＨＣ濃度が高くなる。
【００２７】
そこで、前記補正量が所定の補正量以上で行われた場合は、前記ＳＯｘ吸蔵量推定手段によって推定されたＳＯｘ吸蔵量が実際のＳＯｘ吸蔵量より少ない蓋然性が高いと考え、前記ＳＯｘ吸蔵量推定手段によって推定されるＳＯｘ吸蔵量を増量する補正を行うことで、推定ＳＯｘ吸蔵量と実際の吸蔵量との差を解消させ、前記ＮＯｘ触媒に流入する排気の空燃比をより正確に行うことが可能となる。前記所定の補正量とは、前記補正が前記ＳＯｘ吸蔵量推定手段による推定ＳＯｘ吸蔵量が実際の吸蔵量より少ないことに起因して行われている蓋然性が高いと判断するための閾値である。
【００２８】
【発明の実施の形態】
＜第１の実施の形態＞
ここで、本発明に係る内燃機関の排気浄化システムの実施の形態について図面に基づいて説明する。図１は、本発明が適用される排気浄化システム、該排気浄化システムを含む内燃機関１およびその制御系統の概略構成を表すブロック図である。
【００２９】
内燃機関１は、４つの気筒２を有する内燃機関である。また、気筒２の燃焼室に直接燃料を噴射する燃料噴射弁３を備えている。燃料噴射弁３は、燃料を所定圧に蓄圧する蓄圧室４と接続されている。蓄圧室４は、燃料供給管５を介して燃料ポンプ６と連通している。
【００３０】
次に、内燃機関１には吸気枝管７が接続されており、吸気枝管７の各枝管は、気筒２の燃焼室と吸気ポートを介して連通している。ここで、気筒２の燃焼室と吸気ポートとの連通は、吸気弁（図示略）の開閉によって行われる。また、吸気枝管７は吸気管８に接続されている。吸気管８には、該吸気管８内を流通する吸気の質量に対応した電気信号を出力するエアフローメータ９が取り付けられている。前記吸気管８における吸気枝管７の直上流に位置する部位には、該吸気管８内を流通する吸気の流量を調節する吸気絞り弁１０が設けられている。この吸気絞り弁１０には、ステップモータ等で構成されて該吸気絞り弁１０を開閉駆動する吸気絞り用アクチュエータ１１が取り付けられている。
【００３１】
ここで、エアフローメータ９と吸気絞り弁１０との間に位置する吸気管８には、排気のエネルギーを駆動源として作動する遠心過給機（ターボチャージャ）１７のコンプレッサハウジング１７ａが設けられ、コンプレッサハウジング１７ａより下流の吸気管８には、前記コンプレッサハウジング１７ａ内で圧縮されて高温となった吸気を冷却するためのインタークーラ１８設けられている。
【００３２】
一方、内燃機関１には排気枝管１２が接続され、排気枝管１２の各枝管が排気ポートを介して気筒２の燃焼室と連通している。ここで、気筒２の燃焼室と排気ポートとの連通は、排気弁（図示略）の開閉によって行われる。また、排気枝管１２には、排気枝管１２を流れる排気に対して燃料を添加する燃料添加弁３０が設けられている。
【００３３】
また、前記排気枝管１２は、前記遠心過給機１７のタービンハウジング１７ｂと接続されている。前記タービンハウジング１７ｂは、排気管１３と接続され、この排気管１３は、下流にてマフラー（図示略）に接続されている。更に、排気管１３の途中には、内燃機関から排出される排気中のＮＯｘを吸蔵、還元して排気の浄化を行うＮＯｘ触媒１６が設けられている。尚、ＮＯｘ触媒１６に代えて、ＮＯｘ触媒が担持されたフィルタであって排気中の粒子状物質を捕集する機能を有する排気浄化手段を用いてもよい。
【００３４】
更に、ＮＯｘ触媒１６の下流の排気管１３には、該排気管１３内を流通する排気の流量を調節する排気絞り弁１４が設けられている。この排気絞り弁１４には、ステップモータ等で構成されて該排気絞り弁１４を開閉駆動する排気絞り用アクチュエータ１５が取り付けられている。
【００３５】
ここで、燃料噴射弁３および燃料添加弁３０は、電子制御ユニット（以下、ＥＣＵ：Ｅｌｅｃｔｒｏｎｉｃ  Ｃｏｎｔｒｏｌ  Ｕｎｉｔと称する）２０からの制御信号によって開閉動作を行う。即ち、ＥＣＵ２０からの指令によって、燃料噴射弁３および燃料添加弁３０における燃料の噴射時期および噴射量が弁毎に制御される。
【００３６】
更に、アクセル開度センサ１９がＥＣＵ２０と電気的に接続されており、ＥＣＵ２０はアクセル開度に応じた信号を受け取り、それより内燃機関１に要求される機関出力等を算出する。また、クランクポジションセンサ３３がＥＣＵ２０と電気的に接続されており、ＥＣＵ２０は内燃機関１の出力軸の回転角に応じた信号を受け取り、内燃機関１の機関回転速度や気筒２におけるサイクルの状態等を算出する。
【００３７】
また、ＮＯｘ触媒１６の下流の排気管１３にはＮＯｘ触媒１６から流出する排気中のＨＣ濃度を検出する排気ＨＣ濃度センサ３１が設けられている。更に、ＮＯｘ触媒１６の下流の排気管１３であって排気ＨＣ濃度センサ３１の近傍には、ＮＯｘ触媒１６から流出する排気の空燃比を検出する排気空燃比センサ３２が設けられている。
【００３８】
排気ＨＣ濃度センサ３１および排気空燃比センサ３２は、それぞれＥＣＵ２０は電気的に接続され、排気ＨＣ濃度センサ３１が排気中のＨＣ濃度に応じた電圧をＥＣＵ２０に伝えることで排気中のＨＣ濃度が検出され、排気空燃比センサ３２が排気中の酸素の濃度に応じた電圧をＥＣＵ２０に伝えることで排気の空燃比が検出される。これらのセンサとＮＯｘ触媒１６等で構成される排気浄化システムによって、内燃機関１から排出される排気の浄化が行われる。
【００３９】
ここで、ＮＯｘ触媒１６にＳＯｘが吸蔵されることで、ＮＯｘ触媒の浄化能力が低下するため、ＮＯｘ触媒に吸蔵されたＳＯｘを離脱させるＳＯｘ被毒回復制御が、ＥＣＵ２０によって行われる。該ＳＯｘ被毒回復制御においては、ＮＯｘ触媒１６に流入する排気の空燃比を所定の空燃比とすることで、ＮＯｘ触媒１６の床温を適切な温度とするとともに、還元剤としてのＨＣをＮＯｘ触媒１６に供給する。
【００４０】
このとき、ＥＣＵ２０より燃料添加弁３０に対して噴射指令が出されることで、燃料添加弁３０によって燃料が排気に添加され、ＮＯｘ触媒１６に流入する排気の空燃比が調整される。燃料添加弁３０より排気中に添加された燃料の一部がＮＯｘ触媒１６の酸化機能によって酸化されることでＮＯｘ触媒１６の床温が上昇するとともに、残りの燃料がＮＯｘ触媒１６に供給されることでＳＯｘ被毒回復制御に必要な還元剤が供給される。
【００４１】
ＳＯｘ被毒回復制御における排気の空燃比に関する制御は、排気空燃比センサ３２によって検出された空燃比に基づいて、ＮＯｘ触媒１６に流入する排気の空燃比を推定し、その推定される空燃比が所定の排気の空燃比となるように、燃料添加弁３０による燃料の添加量を制御するものである。ＮＯｘ触媒１６における排気の空燃比と排気空燃比センサ３２によって検出される空燃比との関係は、あらかじめ実験等で求めておきマップとしてＥＣＵ２０内のＲＯＭに格納しておけばよい。
【００４２】
ここで、ＳＯｘ被毒回復制御においてＮＯｘ触媒１６に吸蔵されているＳＯｘを離脱させるためには、ＮＯｘ触媒１６に流入する空燃比を所定の空燃比とするのは先述の通りであるが、ＮＯｘ触媒１６に吸蔵されているＳＯｘ量が多くなるに従い、ＮＯｘ触媒１６の有する酸化機能が低下する。従って、ＮＯｘ触媒１６に吸蔵されているＳＯｘ量が多いとき、例えばＳＯｘ被毒回復制御が開始されて間もないときは、ＮＯｘ触媒１６に流入する排気の空燃比が過度にリッチ側の空燃比であると、本来はＮＯｘ触媒１６において酸化されるべき量のＨＣが酸化されずにＮＯｘ触媒１６を通過し、多量のＨＣが大気へ放出され白煙が発生する虞が生じる。
【００４３】
そこで、ＳＯｘ被毒回復制御が行われているときに多量のＨＣが大気へ放出されるのを抑制し、以て白煙の発生を防止する制御について、図２に基づいて説明する。図２はＮＯｘ触媒１６でのＳＯｘ被毒回復制御時における白煙の発生を防止する制御のフローチャートである。尚、該制御は、ＥＣＵ２０によって、ＳＯｘ被毒回復制御とともに実行される。
【００４４】
まず、Ｓ１００では、ＮＯｘ触媒１６に吸蔵されているＳＯｘ吸蔵量を推定する。具体的には、前回のＳＯｘ被毒回復制御が終了した以降において内燃機関１での燃料消費量、もしくは該燃料消費量と関連のある内燃機関１を備える車両の移動距離等や、内燃機関１の燃料の硫黄濃度等から推定する。Ｓ１００の処理が終了すると、Ｓ１０１へ進む。
【００４５】
Ｓ１０１では、Ｓ１００において推定されたＮＯｘ触媒１６でのＳＯｘ吸蔵量が、所定の吸蔵量より多いか否かが判断される。所定の吸蔵量とは、ＮＯｘ触媒１６に吸蔵されたＳＯｘ量が多くＮＯｘ触媒１６の排気浄化機能が低下しているために、吸蔵されているＳＯｘを離脱させる必要があると判断するための閾値である。従って、Ｓ１０１でＮＯｘ触媒１６のＳＯｘ吸蔵量が所定の吸蔵量より多いと判断されると、吸蔵されているＳＯｘを離脱させるべくＳ１０２以降の処理が行われる。一方で、Ｓ１０１でＮＯｘ触媒１６のＳＯｘ吸蔵量が所定の吸蔵量以下と判断されると、再びＳ１００の処理が行われる。
【００４６】
Ｓ１０２では、排気ＨＣ濃度センサ３１によって、ＮＯｘ触媒１６から流出する排気のＨＣ濃度が検出される。Ｓ１０２の処理が終了すると、Ｓ１０３へ進む。
【００４７】
Ｓ１０３では、排気ＨＣ濃度センサ３１によって検出された排気のＨＣ濃度とＮＯｘ触媒１６のＳＯｘ吸蔵量に基づいて、ＮＯｘ触媒１６に吸蔵されたＳＯｘを離脱させるのに適した、ＮＯｘ触媒１６に流入する排気の空燃比を算出する。具体的には、ＮＯｘ触媒１６のＳＯｘ吸蔵量が多くなるに従いＮＯｘ触媒１６の酸化機能が低下することを考慮し、ＮＯｘ触媒１６でのＳＯｘ吸蔵量が多いときはリーン側の空燃比とし、ＳＯｘの離脱が促進するに従ってリッチ側の空燃比となるように算出する。そして、このとき排気ＨＣ濃度センサ３１によって検出されるＨＣ濃度が所定のＨＣ濃度を越えないように空燃比を調整する。ＨＣ濃度、ＳＯｘ吸蔵量およびＮＯｘ触媒１６に流入する排気の空燃比との関係は予め実験等で求めておき、ＥＣＵ２０のＲＯＭに格納する。ここでいう所定のＨＣ濃度は、大気へ排出される排気において白煙が発生すると判断されるＨＣ濃度の閾値である。これにより、ＮＯｘ触媒１６に吸蔵されているＳＯｘの離脱に際して、多量のＨＣが大気へ放出されるのが抑制され、以て白煙が発生するのが防止される。Ｓ１０３の処理が終了すると、Ｓ１０４へ進む。
【００４８】
Ｓ１０４では、燃料添加弁３０によって、内燃機関１から排出される排気に燃料の添加が行われることで、ＮＯｘ触媒１６に流入する排気の空燃比が制御される。具体的には、ＮＯｘ触媒１６に流入する排気の空燃比を、Ｓ１０３において算出された排気の空燃比とすべく、排気空燃比センサ３２による検出値等に基づいて燃料添加弁３０による燃料の添加量が制御される。Ｓ１０４の処理が終了すると、Ｓ１０５へ進む。
【００４９】
Ｓ１０５では、ＮＯｘ触媒１６に吸蔵されているＳＯｘ量を推定する。これは、Ｓ１０４での燃料添加によってＮＯｘ触媒１６から離脱したＳＯｘ量を考慮したＳＯｘ吸蔵量である。従って、以降の排気の空燃比の制御等のＮＯｘ触媒１６のＳＯｘ吸蔵量に基づく制御においては、本Ｓ１０５において推定されたＮＯｘ触媒１６のＳＯｘ吸蔵量が用いられる。Ｓ１０５の処理が終了すると、Ｓ１０６へ進む。
【００５０】
Ｓ１０６では、ＮＯｘ触媒１６に吸蔵されているＳＯｘ量が許容吸蔵量以下であるか否かが判断される。ここで、許容吸蔵量とは、ＮＯｘ触媒１６において吸蔵されているＳＯｘ量が減少することで、ＮＯｘ触媒１６の排気浄化機能が回復したと判断する閾値である。従って、Ｓ１０６でＮＯｘ触媒１６に吸蔵されているＳＯｘ量が許容吸蔵量以下であると判断されると、ＮＯｘ触媒１６の吸蔵ＳＯｘを離脱させたと判断し、本制御を終了する。一方で、Ｓ１０６でＮＯｘ触媒１６に吸蔵されているＳＯｘ量が許容吸蔵量より多いと判断されると、ＮＯｘ触媒１６の吸蔵ＳＯｘの離脱はまだ終了していないと判断し、Ｓ１０７へ進む。
【００５１】
Ｓ１０７では、排気ＨＣ濃度センサ３１によって、ＮＯｘ触媒１６から流出する排気のＨＣ濃度が検出される。この検出されたＨＣ濃度は、Ｓ１０４において燃料添加弁３０から燃料の添加が行われた後の排気のＨＣ濃度である。Ｓ１０７の処理が終了すると、Ｓ１０８へ進む。
【００５２】
Ｓ１０８では、Ｓ１０７で検出された排気のＨＣ濃度が、白煙防止ＨＣ濃度より高いか否かが判断される。本制御においては、Ｓ１０３およびＳ１０４において、排気のＨＣ濃度が所定のＨＣ濃度を越えないように、ＮＯｘ触媒１６に流入する排気の空燃比が制御されている。そこで、排気のＨＣ濃度が、所定のＨＣ濃度を越えないが、所定のＨＣ濃度に近いＨＣ濃度であるときは、予め想定された内燃機関の運転状態等では白煙が発生しないが、内燃機関の運転状態が急峻に変動するとＮＯｘ触媒１６に流入する排気の空燃比を俊敏に制御することができない場合が考えられ、その結果、白煙が発生する虞がある。
【００５３】
そこで、Ｓ１０８において、Ｓ１０７で検出された排気のＨＣ濃度が、白煙防止ＨＣ濃度より高いと判断されると、たとえ所定のＨＣ濃度より低くても、あまり好ましくない排気のＨＣ濃度と考えられ、Ｓ１０９へ進み、以降の処理が行われる。一方で、Ｓ１０８において、Ｓ１０７で検出された排気のＨＣ濃度が、白煙防止ＨＣ濃度以下と判断されると、排気のＨＣ濃度は適切であると判断され、再びＳ１０３以降の処理が、ＮＯｘ触媒のＳＯｘ吸蔵量が許容吸蔵量以下となるまで行われる。
【００５４】
Ｓ１０９では、Ｓ１０８において排気のＨＣ濃度が所定のＨＣ濃度より低くてもあまり好ましくないＨＣ濃度であると判断されたことを踏まえて、ＮＯｘ触媒１６に流入する排気の空燃比を算出するにあたり、よりリーン側の空燃比となるべく補正を行うようにする。即ち、先述したＳ１０３においてＮＯｘ触媒１６に流入する排気の空燃比を算出するにあたり、その算出された排気の空燃比が過度にリッチ側の値となっていたため、排気ＨＣ濃度センサによって検出されたＨＣ濃度が白煙防止ＨＣ濃度を越えたと考えられる。そこで、本制御の以降の処理においてＳ１０３の処理が行われるときに、排気の空燃比をよりリーン側の空燃比となるように補正をし、排気のＨＣ濃度が白煙防止ＨＣ濃度を越えないようにする。Ｓ１０９の処理が終了すると、Ｓ１１０へ進む。
【００５５】
Ｓ１１０では、Ｓ１０９で行われる排気の空燃比の補正の頻度が算出される。この頻度は、一定時間における該排気の空燃比の補正の頻度、Ｓ１０８の判断において排気のＨＣ濃度が白煙防止ＨＣ濃度より大きいと判断される割合、その他の頻度のいずれであってもよい。Ｓ１１０の処理が終了すると、Ｓ１１１へ進む。
【００５６】
Ｓ１１１では、Ｓ１１０で算出した排気の空燃比の補正の頻度が所定の頻度以上であるか否かが判断される。本制御において、ＮＯｘ触媒１６に流入する排気の空燃比は、排気ＨＣ濃度センサ３１によって検出されたＨＣ濃度に加えて、ＮＯｘ触媒１６に吸蔵されていると推定されるＳＯｘ量にも基づいて制御される。従って、該排気の空燃比の補正が、所定の頻度以上で行われるときは、Ｓ１００やＳ１０５において行われるＳＯｘ吸蔵量の推定の処理において、推定されるＳＯｘ吸蔵量が実際の吸蔵量が少なく推定されている蓋然性が高いと考えられる。
【００５７】
即ち、ＳＯｘの吸蔵量が実際のＳＯｘ吸蔵量より少なく推定されると、ＮＯｘ触媒１６の酸化機能が高く維持されていると判断されるため、排気の空燃比がリッチ側の空燃比に制御される。一方で、ＮＯｘ触媒１６に実際に吸蔵されているＳＯｘ量は推定量より多いため、実際のＮＯｘ触媒１６の酸化機能は低く、その結果、リッチ側の空燃比に調整された排気に含まれているＨＣを十分に酸化することができず、その一部が酸化されずにＮＯｘ触媒１６を通過し、大気へ放出されることで、白煙の発生につながる。
【００５８】
そこで、Ｓ１１１では、ＮＯｘ触媒１６のＳＯｘ吸蔵量の推定が適切に行われているか否かが、Ｓ１０９において行われる排気の空燃比の補正の頻度を基に、判断されることになる。Ｓ１１１で、Ｓ１１０で算出した排気の空燃比の補正の頻度が所定の頻度以上であると判断されると、ＮＯｘ触媒１６のＳＯｘ吸蔵量の推定が適切に行われていないことを意味し、Ｓ１１２へ進む。一方で、Ｓ１１０で算出した排気の空燃比の補正の頻度が所定の頻度より低いと判断されると、ＮＯｘ触媒１６のＳＯｘ吸蔵量の推定が適切に行われていることを意味し、再びＳ１０３以降の処理が行われる。
【００５９】
Ｓ１１２では、Ｓ１１１でＮＯｘ触媒１６のＳＯｘ吸蔵量の推定が適切に行われていないと判断されたことを踏まえ、以降のＳ１０５でのＮＯｘ触媒１６でのＳＯｘ吸蔵量の推定において、該推定量を増量する補正を行う。これにより、Ｓ１０５で推定されるＳＯｘ吸蔵量と、実際にＮＯｘ触媒１６に吸蔵されているＳＯｘ吸蔵量との差が解消するため、ＮＯｘ触媒１６に流入する排気の空燃比をより正確に制御することが可能となる。Ｓ１１２の処理が終了すると、再びＳ１０３以降の処理が行われる。
【００６０】
本制御においては、ＮＯｘ触媒１６に吸蔵されているＳＯｘの吸蔵量の推定が適切に行われているか否か、換言すると推定されるＳＯｘ吸蔵量と実際に吸蔵されているＳＯｘ吸蔵量とに大きな差が無いか否かを、Ｓ１０９で行われる排気の空燃比の補正の頻度に基づいて判断するのは先述の通りである。ここで、該判断を排気の空燃比の補正の頻度に代えて、排気の空燃比の補正における補正量に基づいて行うことも可能である。
【００６１】
該排気の空燃比の補正量が所定の補正量より大きい場合、即ちＮＯｘ触媒１６に流入する排気の空燃比が過度にリッチな空燃比となっているために、適切な空燃比とすべくよりリーン側の空燃比とするその補正量が所定の補正量より大きい場合は、ＮＯｘ触媒１６のＳＯｘ吸蔵量の推定が適切に行われていない蓋然性が高い。所定の補正量とは、ＮＯｘ触媒１６のＳＯｘ吸蔵量の推定が適切に行われているか否かを判断するための閾値である。
【００６２】
そこで、排気の空燃比の補正における補正量に基づいて、ＮＯｘ触媒１６のＳＯｘ吸蔵量の推定が適切に行われているか否かを判断し、該推定が適切に行われていないと判断される場合は先述したＳ１１２における処理と同様に、以降のＳ１０５でのＮＯｘ触媒１６でのＳＯｘ吸蔵量の推定において該推定量を増量する補正を行う。
【００６３】
本制御によると、ＮＯｘ触媒のＳＯｘ被毒回復制御において、ＮＯｘ触媒のＳＯｘ吸蔵量の減少に基づいて、ＮＯｘ触媒に流入する排気の空燃比をリーン側の空燃比からよりリッチ側の空燃比とすることで、ＮＯｘ触媒を通過し、大気へ放出される排気中のＨＣ濃度を所定の濃度以下に抑えることが可能となり、以て多量のＨＣの大気への放出を抑制し、白煙の発生を防止することが可能となる。
【００６４】
更に、ＮＯｘ触媒から流出する排気中のＨＣのＨＣ濃度に基づいて、ＮＯｘ触媒に流入する排気の空燃比を補正し、または該補正に基づいてＮＯｘ触媒に吸蔵されているＳＯｘ吸蔵量の推定量を補正することで、より確実にＮＯｘ触媒のＳＯｘ被毒回復制御時における大気への多量のＨＣの放出を抑え、以て白煙の発生を防止することが可能となる。
【００６５】
＜第２の実施の形態＞
ここで、ＮＯｘ触媒１６においてＳＯｘ被毒回復制御が行われているときに、多量のＨＣが大気へ放出されるのを抑制し、以て白煙の発生を防止する制御の別の実施の形態について、図３に基づいて説明する。図３はＮＯｘ触媒１６でのＳＯｘ被毒回復制御時における白煙の発生を防止する制御のフローチャートである。尚、該制御は、ＥＣＵ２０によって、ＳＯｘ被毒回復制御とともに実行される。尚、図３に示すＳＯｘ被毒回復時白煙防止制御のフローチャートにおいて、図２に示すＳＯｘ被毒回復時白煙防止制御のフローチャート中の処理と同一の処理については、図２と同一の参照番号を付すことにより、その説明を省略する。
【００６６】
図３に示すＳＯｘ被毒回復時白煙防止制御においては、Ｓ１０１の処理において、ＮＯｘ触媒１６のＳＯｘ吸蔵量が所定の吸蔵量より多いと判断されると、Ｓ２００へ進む。Ｓ２００では、ＮＯｘ触媒１６のＳＯｘ吸蔵量に基づいて、ＮＯｘ触媒１６に吸蔵されたＳＯｘを離脱させるのに適した、ＮＯｘ触媒１６に流入する排気の空燃比を算出する。具体的には、ＮＯｘ触媒１６のＳＯｘ吸蔵量が多くなるに従いＮＯｘ触媒１６の酸化機能が低下することを考慮し、ＮＯｘ触媒１６でのＳＯｘ吸蔵量が多いときはリーン側の空燃比とし、ＳＯｘの離脱が促進するに従って次第にリッチ側の空燃比となるように算出する。ＳＯｘ吸蔵量およびＮＯｘ触媒１６に流入する排気の空燃比との関係は予め実験等で求めておき、ＥＣＵ２０のＲＯＭに格納する。Ｓ２００の処理が終了すると、Ｓ１０４へ進む。Ｓ１０４からＳ１０７の処理は、先述の通りである。Ｓ１０７の処理が終了すると、Ｓ２０１へ進む。
【００６７】
Ｓ２０１では、Ｓ１０７で検出された排気のＨＣ濃度が、白煙限界ＨＣ濃度より高いか否かが判断される。白煙限界ＨＣ濃度とは、排気中のＨＣ濃度が高いために、多量のＨＣが大気へ放出し白煙が発生する虞のある排気のＨＣ濃度である。本制御においては、Ｓ２００およびＳ１０４において、ＮＯｘ触媒１６に吸蔵されているＳＯｘ吸蔵量に基づいてＮＯｘ触媒１６に流入する排気の空燃比が制御されている。従って、ＮＯｘ触媒１６の酸化機能をＳＯｘ吸蔵量に基づいて推定し、その酸化機能に応じてＮＯｘ触媒１６に流入する排気の空燃比を制御するが、そのような場合でも排気ＨＣ濃度センサによって検出される排気のＨＣ濃度が白煙限界ＨＣ濃度を越えると、大気中に放出される排気中のＨＣ濃度が高くなるため白煙が発生する。
【００６８】
そこで、Ｓ２０１において、Ｓ１０７で検出された排気のＨＣ濃度が白煙限界ＨＣ濃度より高いと判断されると白煙が発生する虞があると考えられ、Ｓ２０２へ進み、以降の処理が行われる。一方で、Ｓ２０１において、Ｓ１０７で検出された排気のＨＣ濃度が、白煙限界ＨＣ濃度以下と判断されると、排気のＨＣ濃度は適切であると判断され、再びＳ２００以降の処理が、ＮＯｘ触媒１６のＳＯｘ吸蔵量が許容吸蔵量以下となるまで行われる。
【００６９】
Ｓ２０２では、Ｓ２０１において排気のＨＣ濃度が白煙限界ＨＣ濃度より高く白煙が発生する虞があると判断されたことを踏まえて、ＮＯｘ触媒１６に流入する排気の空燃比を算出するにあたり、よりリーン側の空燃比とすべく補正を行うようにする。即ち、先述したＳ２００においてＮＯｘ触媒１６に流入する排気の空燃比を算出にあたり、その算出された排気の空燃比が過度にリッチ側の値となっていたため、排気ＨＣ濃度センサ３１によって検出されたＨＣ濃度が白煙限界ＨＣ濃度を越えたと考えられる。そこで、本制御の以降の処理においてＳ２００の処理が行われるときに、排気の空燃比をよりリーン側の空燃比となるように補正をし、排気のＨＣ濃度が白煙限界ＨＣ濃度を越えないようにする。Ｓ２０２の処理が終了すると、Ｓ１１０へ進む。
【００７０】
Ｓ１１０からＳ１１２までの処理については、先述の通りである。尚、Ｓ１１１において、Ｓ１１０で算出した排気の空燃比の補正の頻度が所定の頻度より低いと判断された場合およびＳ１１２の処理が終了した場合には、再びＳ２００以降の処理が行われる。
【００７１】
本制御によると、ＮＯｘ触媒のＳＯｘ被毒回復制御において、ＮＯｘ触媒のＳＯｘ吸蔵量の減少に基づいて、ＮＯｘ触媒に流入する排気の空燃比をリーン側の空燃比からよりリッチ側の空燃比とすることで、ＮＯｘ触媒から流出し、大気へ放出される排気中のＨＣの濃度を所定の濃度以下に抑えることが可能となり、以て多量のＨＣの大気への放出を抑制し、白煙の発生を防止することが可能となる。
【００７２】
更に、ＮＯｘ触媒から流出する排気中のＨＣ濃度に基づいて、ＮＯｘ触媒に流入する排気の空燃比を補正し、または該補正に基づいてＮＯｘ触媒に吸蔵されているＳＯｘ吸蔵量の推定量を補正することで、より確実にＮＯｘ触媒のＳＯｘ被毒回復制御時における大気への多量のＨＣの放出を抑え、以て白煙の発生を防止することが可能となる。
【００７３】
【発明の効果】
本発明に係る内燃機関の排気浄化システムにおいては、ＮＯｘ触媒のＳＯｘ被毒回復制御において、ＮＯｘ触媒のＳＯｘ吸蔵量の減少に基づいて、ＮＯｘ触媒に流入する排気の空燃比をリーン側の空燃比からリッチ側の空燃比とすることで、ＮＯｘ触媒を通過し、大気へ放出される排気中のＨＣ濃度を所定の濃度以下に抑えることが可能となり、以て多量のＨＣが大気中に放出されるのを抑制し、白煙の発生を防止する。
【図面の簡単な説明】
【図１】本発明の実施の形態に係る排気浄化システムおよび該排気浄化システムを含む内燃機関およびその制御系統の概略構成を表すブロック図である。
【図２】本発明の実施の形態に係る排気浄化システムにおいて、ＮＯｘ触媒のＳＯｘ被毒回復御時におけるＮＯｘ触媒に流入する排気の空燃比の制御を示すフローチャートである。
【図３】本発明の実施の形態に係る排気浄化システムにおいて、ＮＯｘ触媒のＳＯｘ被毒回復御時におけるＮＯｘ触媒に流入する排気の空燃比の制御を示す第２のフローチャートである。
【符号の説明】
１・・・・内燃機関
３・・・・燃料噴射弁
１６・・・・ＮＯｘ触媒
２０・・・・ＥＣＵ
３０・・・・燃料添加弁
３１・・・・排気ＨＣ濃度センサ
３２・・・・排気空燃比センサ
【図１】
2004324566.tif 000003
【図２】
2004324566.tif 000004
【図３】
2004324566.tif 000005